(57)【特許請求の範囲】
【請求項１】
複数の宛先情報を含む各種情報を表示するための表示部と電話機操作用の各種ボタンを有する操作部とを１軸構造の連結部で連結し、該連結部をもって前記表示部と前記操作部とを収納折畳み可能なように構成し、
前記連結部に、前記表示部に表示される前記複数の宛先情報から通信相手先の宛先情報を選択するための選択手段を設けたことを特徴とする電話機。
【請求項２】
各種情報を表示するための表示部と電話機操作用の各種ボタンを有する操作部とを１軸構造の連結部で連結し、該連結部をもって前記表示部と前記操作部とを収納折畳み可能なように構成し、
前記連結部に、プッシュボタンと、該プッシュボタンが押圧操作されることによって前記表示部が回動する回動機構とを設けたことを特徴とする電話機。
【請求項３】
前記電話機が収納折畳み状態にある時に前記プッシュボタンが押圧操作されると、前記回動機構が作動して、前記表示部が前記操作部に対して“く”の字状に屈曲した状態におかれることを特徴とする請求項２に記載の電話機。
【請求項４】
前記選択手段は、縦方向に回動可能なように構成されていることを特徴とする請求項１に記載の電話機。
【請求項５】
前記選択手段は、前記連結部の軸方向にスライド可能なように構成されていることを特徴とする請求項１に記載の電話機。
【請求項６】
前記選択手段は、第１、第２の方向に可動するよう構成したことを特徴とする請求項１に記載の電話機。
【発明の詳細な説明】
【０００１】
【発明の属する技術分野】
本発明は、使い勝手性や操作性に優れた電話機に関するものである。
【０００２】
【従来の技術】
これまでの携帯用無線電話機（以下、単に電話機と称す）では、送受信時に、例えばそれ自体が衣服のポケット等より取り出された上、必要な操作が行われた後は情報交換（具体的には音声による通話等）が行われるようになっており、その後、相手側との情報交換が終了した場合には、再びポケット等に収納されるものとなっている。ところで、これまでの電話機一般は無線通話機能を始めとして、電子手帳機能等、多機能なものとして構成されており、必要とされる機能を実際に機能せしめるためには、複雑な操作を所定順に行わなければならないものとなっている。例えば相手側を呼び出して無線通話を行う場合を想定すれば、電話機自体はポケット等から取り出され、必要とされる一連の呼び出し操作が行われた後は、通話可能状態となるべく必要に応じ持ち変えられた上、それ自体が送受話器、あるいはハンドセットであるかの如く、口や耳付近に移動される必要があるものとなっている。その際、受信音声の音量を必要に応じ調整するには、通話は一旦中断された上、この中断状態で音量調整用の釦が操作される必要があるものとなっている。また、複数ある機能のうち、何れかを選択する場合や、表示画面上に、予め記憶されている所望の相手先電話番号を呼び出して表示する場合には、必要な釦操作や画面表示の目視確認、所望のものが選択、あるいは表示された場合での確認釦操作等、各種の釦操作が所定順に行われる必要があるものである。
【０００３】
なお、この種の機器に関するものとしては、雑誌「ＤＩＭＥ」（１９９１年１０月１７日、小学館発行、頁８２，８３）に記載のもの（折畳み式のものを含む）が知られている。
【０００４】
【発明が解決しようとする課題】
ところで、これまでの電話機一般では、特に無線通話が行われる際での片手操作がある程度は配慮されているにしても、それ自体が片手で把持されつつ、しかもその手の指で無線通話を行う上で必要とされる各種操作を容易に行い得るものは少なく、実際上、片手操作は困難となっているのが実情である。
【０００５】
したがって、本発明の目的は、使い勝手性や通話を行う上で必要とされる各種機能の選択等の操作を容易に行い得る操作性に優れた電話機を提供することにある。
【０００６】
【課題を解決するための手段】
上記目的を達成するために、本発明に係る電話機は、複数の宛先情報を含む各種情報を表示するための表示部と電話機操作用の各種ボタンを有する操作部とを１軸構造の連結部で連結し、この連結部をもって上記表示部と操作部とを収納折畳み可能なように構成し、前記連結部に、前記表示部に表示される前記複数の宛先情報から通信相手先の宛先情報を選択するための選択手段を設けたことを特徴とする。
【００１０】
また、本発明に係る電話機は、各種情報を表示するための表示部と電話機操作用の各種ボタンを有する操作部とを１軸構造の連結部で連結し、該連結部をもって前記表示部と前記操作部とを収納折畳み可能なように構成し、上記連結部に、プッシュボタンと、該プッシュボタンが押圧操作されることによって上記表示部が回動する回動機構とを設けたことを特徴とする。
【００１２】
また、本発明に係る電話機は、収納折畳み状態にある時に上記プッシュボタンが押圧操作されると、上記回動機構が作動して、上記表示部が操作部に対して“く”の字状に屈曲した状態におかれることを特徴とする。
【００１３】
また、本発明に係る電話機は、上記選択手段が、縦方向に回動可能なように構成されていることを特徴とする。
【００１４】
また、本発明に係る電話機は、上記選択手段が、上記連結部の軸方向にスライド可能なように構成されていることを特徴とする。
【００１５】
【発明の実施の形態】
以下、本発明の実施形態を図１から図８により説明する。
【００１６】
先ず本発明による電話機の使用状態での外観について説明すれば、図１はその一例での外観斜視状態を示したものである。図示のように、電話機本体がその収納折畳み状態からその折畳み状態が解除され、使用状態におかれた場合での全体外観斜視状態が示されたものとなっている。これによる場合、レシーバ部１と表示部（表示装置）２はヒンジ５を介し自在に屈曲係合された上、これらはまた、収納折畳み回動用のジョイント部３を介し操作部４と係合されるべく構成されたものとなっている。さて、レシーバ部１の中央部にはレシーバ（受信音声出力用スピーカ）６が具備された上、無線通話時にこれに耳が当てられることで、通話相手からの音声が聴取され得るものである。その無線通話状態では、ヒンジ５は図示の如く、“く”の字状に屈曲されることで、操作性や使い勝手性が向上せしめられているものである。また、ジョイント部３は電話機本体の折畳み収納状態から回動展開された状態、即ち、使用状態を維持するとともに、機能選択操作用のダイヤル８や、回動操作用機構およびプッシュボタン９が具備せしめられるものとなっている。さらに、操作部４には情報の記憶／検索や入出力操作用のセットボタン１１や通話開始用の発信(再発信)ボタン１２、テンキー部１３、通話終了用等の終了ボタン１４が具備された上、その先端部にはマイクロフォン１０が内蔵されるようになっている。以上の構成によりダイヤル８によって無線通話機能が選択された場合には、恰も通常の電話機一般におけるハンドセットの如く、耳にレシーバ６を当て、マイクロフォン１０には口を接近せしめた状態で、相手側との間で無線通話を行い得るものである。なお、表示部２中央部に具備されている液晶表示画面７上にはキー入力された情報や、記憶されている情報のうちから、必要な情報が呼び出し表示されるものとなっている。
【００１７】
図２はまた、片手（本例では左手）で把持された状態でのその電話機の使用状態を示したものである。電話機本体が折畳み収納状態にある場合に、ジョイント部３の左右両端部を親指ａと人指し指ｂで挾み持ち、親指ａでプッシュボタン９を押圧操作すれば、ジョイント部３を介し表示部２およびレシーバ部１が回動され、安定な使用状態に移行されるものとなっている。さて、電話機本体は基本的には親指球ｃと残り３つの指ｄで把持されることから、親指ａや人指し指ｂを電話機本体より離しても、電話機本体が手から落下する、といった不都合は生じないものである。したがって、そのように電話機本体が把持されている状態では、液晶表示画面７上での表示を確認しつつ、親指ａでダイヤル８や操作部４上の各種操作ボタンを操作し得るものである。
【００１８】
図３は無線通話状態にある電話機本体を外面（背面）側よりみた使用斜視状態を示したものである。図示のように、レシーバ６に耳が当てられ、マイクロフォン１０には口を接近させた状態での電話機を、電話機を把持している片手の背後よりみた状態として示したものである。図示のように、人指し指ｂはジョイント部３の一端部より離され、その人指し指ｂによりダイヤル８が操作されているが、このことは、ダイヤル８は内面側からは親指ａによって、その外面側からは人指し指ｂによって操作可能であることを示唆したものとなっている。したがって、ダイヤル８が非無線通話状態では各種機能（具体的には、送信／受信、電話番号、シークレット、入力、出力、記憶、計算、時刻、リモコン、スケジュール、コール（呼び出し）、クリヤー、カレンダー、辞書、地図、文字、数字等）を選択するためのものとして、また、無線通話状態では受信音声音量調整用として機能すべく、縦方向に回動自在として、且つ内外両面からダイヤル操作可としてジョイント部３に具備されている場合には、無線通話状態での受信音声の音量調整が通話を中断することなく行い得るものである。
【００１９】
図４は電話機が片手で把持されている状態での片手操作方法を示したものである。図示のように、電話機本体は操作部４のその左右両側端が親指球ｃと３つの指ｄで挾持された状態で、親指ａがプッシュボタン９を押圧操作すれば、それまで折畳み収納状態にあった本電話機本体は、レシーバ部１および表示部２はジョイント部３を介し回動されることで、安定な使用状態に移行されるものとなっている。この使用状態で、例えば無線通話が行われるものとしてその操作を説明すれば、先ずダイヤル８が親指位置ｆで操作されれば、液晶表示画面７には予め入力記録されている氏名とその電話番号が検索表示されるものとなっている。その後、相手先電話番号を確認し親指位置ｇでセットボタン１１を押圧操作した上、親指位置ｈで発信(再発信)ボタン１２を操作すれば、公知の技術により無線通話が開始されるものとなっている。やがて、無線通話が終了すると、親指位置ｉで終了ボタン１４が押圧操作されることで、無線通話に必要とされる一連の操作は完了されるものである。即ち、液晶表示画面７の視認とダイヤル８や発信(再発信)ボタン１２、終了ボタン１４に対する親指ａの操作運動域範囲は、図に示す破線Ａ，Ｂで囲まれている範囲とされ、その範囲内では親指ａは必要な操作を容易に行い得るものであり、その範囲は、とりもなおさず親指ａの生体指骨構成の付け根を中心とした間接ｅでの複合した回転や回動、進退屈曲運動による範囲でもある。したがって、破線Ａ，Ｂで囲まれている範囲に、無線通話を行う上で必要とされるダイヤル８や各種ボタンが配置される場合には、片手操作でそれらダイヤル８や各種ボタンが操作され得、片手操作性が向上され得るものである。
【００２０】
図５は本発明に係るジョイント部３の一例での部分断面を示したものである。これによる場合、ジョイント部３を構成しているケース１５とボタン軸１９は操作部４に固定されており、ケース１５の中心端面部に形成されているボス軸１６には回動自在に中空フランジ１８が係合されるものとなっている。ボタン軸１９に形成されているスリーブ軸２２にも回動自在にスリーブフランジ２０が係合されるものとなっている。回動自在な中空フランジ１８とスリーブフランジ２０はシャシ１７で固定されており、シャシ１７は表示部２の内部で安定に固着されようになっている。したがって、操作部４と表示部２はジョイント部３を介し相互に折畳み可として自在に係合されているものである。
【００２１】
また、ボタン軸１９の端面からはプッシュボタン９が進退自在に挿入されるが、プッシュボタン９に形成されているシャンク２３はスリーブ軸２２内側に摺動可能に嵌合係合されるものとなっている。そのシャンク２３にはまた、ストッパーピース２４が具備された上、スリーブ軸２２とスリーブフランジ２０の端面に形成された切欠き２５、２６各々に係合されるようになっている。これにより、スリーブフランジ２０の回動は停止され、したがって、表示部２の回動も安定に停止安定され得るものである。なお、スリーブ軸２２の切欠き２６はプッシュボタン９の軸方向の最大ストロークに対してもストッパーピース２４が係合を解除することはない。それに対し、スリーブフランジ２０の切欠き２５は係合が解除され自由に回動し得るものである。このスリーブフランジ２０の切欠き２５は電話機が使用状態にある場合での開位置と、収納折畳み状態にある場合での収納位置（図示せず）とに形成されているものである。
【００２２】
さらに、ケース１５内部にはねじりコイルバネ２１が具備されており、その一端はケース１５に結合固定され、他端はケース１５より突出されて中空フランジ１８に形成されたバネ穴に係合されている。これにより、プッシュボタン９が押圧操作されれば、ストッパーピース２４が収納時切欠き２５(図示せず)での停止を開放し、ねじりコイルバネ２１の弾性力が開放される結果、中空フランジ１８が回動され、したがって、レシーバ部１および表示部２が回動され使用状態に至らしめられるものである。その使用状態での組込結合でも、ねじりコイルバネ２１にはまだ残留弾性力が残されていることから、引続き開方向への回動力が与えられたものとなっている。このことは、電話機が使用状態にある場合での不要ながたつきがその回動力により防止されていることを示唆している。
【００２３】
さらに、ダイヤル８が係合されているダイヤル軸２８がその機械的位置読取り上、その軸方向に移動可とされる場合には、シャンク２３の端面がストッパとしてのストロークの停止位置となり、シャンク２３とシャフト２７との圧入結合は、ダイヤル軸２８に作用する操作力程度では解除されないものとなっている。ダイヤル軸２８とシャフト２７は同一軸上で軸方向スライドとその軸周りに回動可とされているが、シャフト２７はダイヤル軸２８内部で摺動、且つ回動自在な状態として支持された上、その他端はジョイスティック２９に至らしめられるものとなっている。そのジョイスティック２９内にはシャフト２７に連動する電源スイッチ（図示せず）が具備されており、外部よりプッシュボタン９が操作されることによって、電話機が収納折畳み状態から使用状態へと移行せしめられるとともに、電話機には電源が投入され得るものである。また、ジョイスティック２９内部にはボリューム（受信音声音量調整用等）やセンサ（機能選択用等）が具備された上、ダイヤル軸２８の動きに応じて感応動作せしめられるものとなっている。ダイヤル軸２８はジョイント部３の中央付近まで延ばされた上、先端部分にダイヤル８が圧入固定されているが、ダイヤル８は他の部品に接触することなく円滑に軸方向でのスライド、その軸周りでの回動が可能とされているものである。また、ジョイスティック２９内部のセンサは操作部４の各種の機能ボタンの操作によっても、必要な機能が切替えにより選択されるものとなっている。このようにして選択された機能はコードＥを介し表示処理回路(図示せず)に至らしめられた上、その機能が実行される上で必要とされる各種表示が行われるものである。なお、本例でのダイヤル８はカーソル位置制御用としても機能するが、ダイヤル８とは別にその近傍にカーソル位置制御専用ダイヤルを具備せしめるようにしてもよいものである。
【００２４】
図６はまた、ジョイント部３やレシーバ部１および表示部２を含む部分断面を示したものである。図示のように、操作部４に固定されたジョイント部３の一部としての摺動リング３０に沿って表示部２が回動可とされているが、その表示部２の内部には細いスライドピン３１の一端が摺動リング３０に絶えず押しつけられるべく状態で組み込まれたものとなっている。そのスライドピン３１の他端はまた、表示部２、レシーバ部１間を屈曲可能としたヒンジ５に連動するヒンジピース３２に回動自在に系合されたものとなっている。そのヒンジピース３２には伸縮可能なバネ３３が固定され他端はレシーバ部１内部に形成されたバネ座３４に固定されるようになっている。電話機の使用状態では、図示の如くに、レシーバ部１はバネ３３の作用により実線表示の屈曲位置で安定しているが、レシーバ部１に対し不要な力が作用した場合には、レシーバ部１は破線表示の如くに回動されることで、電話機自体が保護されるばかりか、無線通話状態では、レシーバ部１は耳に弾力性を以て接触されることから、接触状態良好にして受信音声を聴取し得るものである。また、電話機の収納折畳み状態時には、ジョイント部３に介し破線表示の如くに、レシーバ部１と表示部２は折畳まれるが、その際、スライドピン３１が摺動リング３０の電話機収納位置に形成されている切欠き３５に係合されるから、安定した状態でレシーバ部１と表示部２は折畳まれるものとなっている。その折畳みの際には、スライドピン３１に連動したヒンジピース３２が表示部２内部に引き込まれ、したがって、それまで表示部２に対し屈曲状態にあったレシーバ部１は、表示部２に沿うべく直線状に伸ばされた状態で折畳まれるものとなっている。
【００２５】
図７は同じく電話機が収納折畳み状態にある場合での部分断面斜視状態を示したものである。図示のように、収納折畳み状態では、ジョイント部（摺動リング３０と同等）３の外周の一部に形成されている切欠き３５には、表示部２内部に組み込まれているスライドピン３１が係合されることで、収納折畳み状態は安定化されたものとなっている。この収納折畳み状態で、プッシュボタン９が操作されれば、使用状態に移行すべくレシーバ部１および表示部２は回動され、スライドピン３１は切欠き３５よりスライド離脱されることで、レシーバ部１は表示部２に対し屈曲した状態におかれるものである。
【００２６】
最後に、ダイヤル８によるカーソル位置制御について説明すれば、図８はその際でのダイヤル操作方法を示したものである。図示のように、ジョイント部３に具備されているダイヤル８は液晶表示７画面上での着目表示位置、即ち、カーソル３７位置を更新するのに用いられており、その更新の際には、親指ａがダイヤル８上の任意位置ｊに接触せしめられた状態で、親指ａがＡ矢視の左右方向か、Ｂ矢視の上下方向に任意に操作されるものとなっている。即ち、ダイヤル８が自由状態にある場合には、ダイヤル８は左右方向にそれぞれ同一大きさのクリアランス３６ｂ，３６ａを維持して安定しているが、Ａ矢視方向への親指ａによる操作は、それらクリアランス３６ａ，３６ｂの大きさを変更するもので、この変更はジョイスティック２９内のセンサによって感知されることで、例えばダイヤル８が右方向へ操作されれば、液晶表示画面７上でカーソル３７は右方向位置に移動されるものである。親指ａをダイヤル８より開放すれば、ダイヤル８は自動的に中央位置に復元されるものである。また、ダイヤル８の親指ａによる上下方向操作はダイヤル８を上下方向に回転せしめるが、その際での回転方向および回転量はジョイスティック２９内のボリューム、あるいはセンサによって感知されることで、カーソル３７は液晶表示画面７上で上下方向に移動可とされているものである。ダイヤル８とは別にその近傍にカーソル位置制御専用ダイヤルが具備せしめられている場合には、そのカーソル位置制御専用ダイヤルが同様に操作されることで、カーソル３７の位置が制御され得るものである。
【００２７】
したがって、例えば液晶表示画面７上に必要な文字や数字、記号等を全て表示せしめた状態で、カーソル３７を所望の位置に順次移動せしめるようにすれば、移動位置での文字等が入力対象として順次選択された上、入力処理され得るものである。また、例えばカーソル３７を所望文字位置に移動させた状態で、操作部４上でセットボタン１１が操作される場合には、液晶表示画面７上段には、例えば氏名および電話番号の部分覧が表示され得るものである。これまでにあっては、専ら必要回数に亘るテンキー操作によって所望の文字列等が組立てられる、といった具合に、煩雑、且つ複雑で、しかも操作回数が多いキー処理が要されていたが、以上の如くに表示処理等が行われる場合は、そのような不具合は軽減化され得るものである。
【００２８】
【発明の効果】
以上、説明したように、本発明に係る電話機は、通話を行う上で必要とされる各種操作が容易に行われ得るものとなっており、操作性や使い勝手性に優れている。
【図面の簡単な説明】
【図１】図１は、本発明による電話機の一例での外観斜視状態を示す図。
【図２】図２は、片手で把持された状態でのその電話機の使用状態を示す図。
【図３】図３は、無線通話状態にあるその電話機を外面（背面）側よりみた使用斜視状態を示す図。
【図４】図４は、その電話機が片手で把持されている状態での片手操作方法を説明するための図。
【図５】図５は、本発明に係るジョイント部の部分断面を示す図。
【図６】図６は、そのジョイント部やレシーバ部および表示部を含む部分断面を示す図。
【図７】図７は、同じく電話機が収納折畳み状態にある場合での部分断面斜視状態を示す図。
【図８】図８は、本発明に係るダイヤル操作によるカーソル位置制御方法を示す図。
【符号の説明】
１…レシーバ部、２…表示部（表示装置）、３…ジョイント部、４…操作部、５…ヒンジ、６…レシーバ、７…液晶表示画面、８…ダイヤル、９…プッシュボタン、１０…マイクロフォン、１１…セットボタン、１２…発信(再発信)ボタン、１３…テンキー部、１４…終了ボタン。
【図１】
0003654253.tif 000002
【図２】
0003654253.tif 000003
【図３】
0003654253.tif 000004
【図４】
0003654253.tif 000005
【図５】
0003654253.tif 000006
【図６】
0003654253.tif 000007
【図７】
0003654253.tif 000008
【図８】
0003654253.tif 000009